(57)【特許請求の範囲】
【請求項１】
発電電力に関する電力情報を取得する取得部と；
前記取得部によって取得された電力情報に応じた振幅の波形にオブジェクトを重ね合わせて表示する表示制御部と；
を具備する表示装置。
【請求項２】
前記取得部は、
前記電力情報として、太陽光発電システムにおける発電電力に関する情報を取得する
ことを特徴とする請求項１に記載の表示装置。
【請求項３】
前記表示制御部は、
前記オブジェクトとして、前記発電電力が消費電力を上回る売電状態または前記発電電力が消費電力を下回る買電状態を示す動的なオブジェクトを表示する
ことを特徴とする請求項１または２に記載の表示装置。
【請求項４】
前記表示制御部は、
時間帯に応じて前記オブジェクトを含む表示情報の内容を変更する
ことを特徴とする請求項１〜３のいずれか一つに記載の表示装置。
【請求項５】
前記表示制御部は、
前記発電電力に応じて、前記オブジェクトの数量、色、速度、移動方向または形を変更して表示する
ことを特徴とする請求項１〜４のいずれか一つに記載の表示装置。
【請求項６】
前記表示制御部は、
前記オブジェクトを前記電力情報に応じた正弦波である前記波形に重ね合わせて表示する
ことを特徴とする請求項１〜５のいずれか一つに記載の表示装置。
【請求項７】
コンピュータが、
発電電力に関する電力情報を取得する取得工程と；
前記取得工程によって取得された電力情報に応じた振幅の波形にオブジェクトを重ね合わせて表示する表示制御工程と；
を実行する表示方法。
【請求項８】
コンピュータに、
発電電力に関する電力情報を取得する取得手順と；
前記取得手順によって取得された電力情報に応じた振幅の波形にオブジェクトを重ね合わせて表示する表示制御手順と；
を実行させる表示プログラム。
【発明の詳細な説明】
【技術分野】
【０００１】
本発明は、表示装置、表示方法及び表示プログラムに関する。
【背景技術】
【０００２】
近年、太陽光発電の余剰買取制度により太陽光発電システムを導入する家庭が増加している。太陽光発電システムは、例えば、太陽光を直流電力に変換する太陽電池モジュールと、直流電力を交流電力に変換するパワーコンディショナと、電圧や電流を測定する計測ユニットと、計測ユニットで取得した値を表示するエネルギーモニター機器等といった各種の部品や機器で構成される。エネルギーモニター機器は、例えば、現在の発電電力、売電電力、消費電力等といった各種の情報をそれぞれキロワットの数値で表示することでユーザに現在の電力状況を伝える。
【先行技術文献】
【特許文献】
【０００３】
【特許文献１】特開２０１４−５６２５３号公報
【発明の概要】
【発明が解決しようとする課題】
【０００４】
本発明が解決しようとする課題は、電力状況を容易に把握させることができる表示装置、表示方法及び表示プログラムを提供することである。
【課題を解決するための手段】
【０００５】
実施形態に係る表示装置は、取得部と、表示制御部とを具備する。取得部は、発電電力に関する電力情報を取得する。表示制御部は、取得部によって取得された電力情報に応じた振幅の波形にオブジェクトを重ね合わせて表示する。
【図面の簡単な説明】
【０００６】
【図１】図１は、実施形態に係る発電システムの構成例を示す図である。
【図２】図２は、実施形態に係る表示装置の構成例を示す図である。
【図３】図３は、瞬時電力の表示例を示す図である。
【図４】図４は、瞬時電力の表示例を示す図である。
【図５】図５は、実施形態に係る表示装置における表示例を示す図である。
【図６】図６は、波形の一例を示す図である。
【図７】図７は、発電電力が少ない場合のオブジェクトの表示例を示す図である。
【図８】図８は、発電電力が多い場合のオブジェクトの表示例を示す図である。
【図９】図９は、実施形態に係る表示装置による処理手順を示すフローチャートである。
【図１０】図１０は、変形例に係る表示装置における表示例を説明するための説明図である。
【図１１】図１１は、変形例に係る表示装置における表示例を示す図である。
【図１２】図１２は、変形例に係る表示装置における表示例を示す図である。
【図１３】図１３は、変形例に係る表示装置における表示例を示す図である。
【図１４】図１４は、変形例に係る表示装置による処理手順を示すフローチャートである。
【発明を実施するための形態】
【０００７】
以下で説明する実施形態に係る表示装置１００は、取得部１３２と、表示制御部１３３とを具備する。取得部１３２は、発電電力に関する電力情報を取得する。表示制御部１３３は、取得部１３２によって取得された電力情報に応じた振幅の波形にオブジェクトを重ね合わせて表示する。
【０００８】
以下、図面を参照して、実施形態に係る表示装置を説明する。実施形態において同一の部位には同一の符号を付し、重複する説明は省略される。
【０００９】
［発電システムの構成］
図１は、実施形態に係る発電システム１の構成例を示す図である。図１に示した実施形態に係る発電システム１は、例えば、太陽光を用いて発電された電力の計測や表示を実現するシステムである。実施形態に係る発電システム１は、ＨＥＭＳ（Home  Energy  Management  System）標準プロトコルのＥＣＨＯＮＥＴ  Ｌｉｔｅが適用されているものとする。
【００１０】
この発電システム１には、図１に示すように、太陽電池モジュール１０と、パワーコンディショナ２０と、分電盤３０と、計測ユニット４０と、ホームゲートウェイ５０と、ブロードバンドルーター７０と、表示装置１００とが含まれる。計測ユニット４０と表示装置１００とは、ホームゲートウェイ５０やブロードバンドルーター７０を介して、無線又は有線により通信可能に接続される。なお、発電システム１には、複数個の太陽電池モジュール１０や、複数台のパワーコンディショナ２０や、複数台の分電盤３０や、複数台の計測ユニット４０や、複数台のホームゲートウェイ５０や、複数台の表示装置１００が含まれてもよい。
【００１１】
太陽電池モジュール１０は、ソーラーパネル等によって集光された太陽光を直流電力に変換するモジュールである。パワーコンディショナ２０は、太陽電池モジュール１０によって変換された直流電力を交流電力に変換する装置である。ここで、パワーコンディショナ２０によって変換される交流電力は、発電電力に相当する。
【００１２】
分電盤３０は、家庭内の電力線と接続を行う。例えば、分電盤３０は、ユーザ宅内の壁などに設けられ、各種ブレーカを有し、ユーザ宅内に設置されている電化製品である家電機器等へ電力を供給する。ここで、分電盤３０が供給する電力は、消費電力に相当する。
【００１３】
計測ユニット４０は、電力を測定する装置である。例えば、計測ユニット４０は、太陽光発電によって発電された発電電力と、分電盤３０の主幹ブレーカの売電電力および買電電力と、分岐ブレーカの電力とを測定する。また、計測ユニット４０は、測定した発電電力と買電電力と売電電力とに基づいて、消費電力を計測する。消費電力は、買電電力に発電電力を加算し、そこから売電電力を減算した値となる。
【００１４】
ホームゲートウェイ５０は、計測ユニット４０および表示装置１００とブロードバンドルーター７０を介して接続され、発電システム１を外部のネットワークであるインターネットＮに接続する通信機器である。図１の例では、ホームゲートウェイ５０は、計測ユニット４０と表示装置１００とブロードバンドルーター７０とに接続し各種情報の送受信を行う。
【００１５】
ブロードバンドルーター７０は、各種の装置を接続するための機器である。例えば、ブロードバンドルーター７０は、ホームゲートウェイ５０を介して、計測ユニット４０と、計測ユニット４０で取得した電力値を表示する表示装置１００とをインターネットＮに接続する。
【００１６】
表示装置１００は、例えば、スマートフォン、タブレット端末、ＰＣ（Personal  Computer）、携帯電話機、ＰＤＡ（Personal  Data  Assistance）などであり、無線ＬＡＮ（Local  Area  Network）や有線ＬＡＮなどを介してホームゲートウェイ５０に接続される。表示装置１００は、ユーザ操作に従って計測ユニット４０に対する命令をホームゲートウェイ５０に送信したり、計測ユニット４０から受信した電力に関する各種情報を表示したりする。
【００１７】
ホームゲートウェイ５０と計測ユニット４０は、Ｂｌｕｅｔｏｏｔｈ（登録商標）等の各種近距離無線通信や有線ＬＡＮで接続される。例えば、表示装置１００は、ホームゲートウェイ５０に対する電力値等の情報を取得する取得コマンドを発行する。
【００１８】
そして、ホームゲートウェイ５０は、表示装置１００から発行された取得コマンドに応じて、電力の状況に関する電力状況を取得する。例えば、ホームゲートウェイ５０は、計測ユニット４０を介してパワーコンディショナ２０または分電盤３０によって計測された電力値の情報を取得する。その後、ホームゲートウェイ５０は、計測ユニット４０から取得した電力状況に関する値を表示装置１００に送信する。これにより、表示装置１００は、太陽光発電の発電電力、消費電力、売電電力、買電電力といった各種情報を取得する。そして、表示装置１００は、表示装置１００が具備するディスプレイ等である画面に、取得した電力状況に関する情報を表示する。
【００１９】
なお、情報の取得を行う際に用いるプロトコルは、例えば、ＥＣＨＯＮＥＴ  Ｌｉｔｅのようなものを用いる。ただし、かかるプロトコルは、ＥＣＨＯＮＥＴ  Ｌｉｔｅに限定されることなく、他の各種の通信プロトコルを用いてもよい。また、表示装置１００は、端末上で動作するアプリケーションプログラムにより、電力状況に関する情報の取得と、取得した情報の表示とを実行する。また、本実施形態では、ＥＣＨＯＮＥＴ  Ｌｉｔｅを例に挙げて説明するが、本実施形態は、ＥＣＨＯＮＥＴにも同様に適用することができる。
【００２０】
このような発電システム１では、表示装置１００による処理によって、太陽光によって発電された電力の状況に関する情報をディスプレイに表示させることを可能にする。これにより、表示装置１００は、ユーザに対して電力状況を把握させることができる。
【００２１】
［表示装置の構成］
図２は、実施形態に係る表示装置１００の構成例を示す図である。図２に示すように、実施形態に係る表示装置１００は、通信部１１０と、表示部１２０と、制御部１３０とを有する。
【００２２】
通信部１１０は、無線通信処理や有線通信処理を行う。例えば、通信部１１０は、図１に示したホームゲートウェイ５０との間で、無線通信又は有線通信によりコマンドや電力状況に関する情報等の各種情報を送受信する。
【００２３】
表示部１２０は、文字や画像、映像等を表示する。具体的には、表示部１２０は、表示装置１００に予め搭載された液晶ディスプレイ等によって実現される。例えば、表示部１２０は、後述の表示制御部１３３によって表示を指示された各種の情報を表示する。
【００２４】
制御部１３０は、例えば、ＡＳＩＣ（Application  Specific  Integrated  Circuit）やＦＰＧＡ（Field  Programmable  Gate  Array）等の集積回路により実現される。また、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。制御部１３０は、送信部１３１と、取得部１３２と、表示制御部１３３とを有する。
【００２５】
送信部１３１は、各種の情報を送信する。具体的には、送信部１３１は、計測ユニット４０によって計測された電力状況に関する情報を取得する命令を送信する。例えば、送信部１３１は、ホームゲートウェイ５０に対して、電力値等の情報を取得する取得コマンドを発行して送信する。すなわち、実施形態では、表示装置１００から計測ユニット４０にコマンドが直接送信されるのではなく、ホームゲートウェイ５０に送信される。これにより、ホームゲートウェイ５０は、電力状況に関する情報を計測ユニット４０から取得する。
【００２６】
取得部１３２は、発電電力に関する電力情報を取得する。具体的には、取得部１３２は、電力情報として、太陽光発電システムにおける発電電力に関する情報を取得する。例えば、取得部１３２は、計測ユニット４０によって計測された電力状況に関する情報を取得する。一例としては、取得部１３２は、送信部１３１によって送信された取得コマンドに対する応答として、ホームゲートウェイ５０から電力状況に関する情報を取得する。
【００２７】
表示制御部１３３は、表示部１２０に表示する情報を制御する。具体的には、表示制御部１３３は、電力状況に関する情報を表示部１２０に表示する制御を行う。この点について、図３〜図８を用いて詳しく説明する。
【００２８】
図３および図４は、瞬時電力の表示例を示す図である。例えば、図３の例では、太陽光発電システムによって発電される現在の電力を示す発電電力よりも家庭内で消費する電力を示す消費電力が多い場合に、発電電力と、消費電力と、系統から購入する電力を示す買電電力とがそれぞれキロワット単位で表示される。
【００２９】
一方、図４の例では、消費電力よりも発電電力が多い場合に、発電電力と、消費電力と、系統へ売り渡す電力を示す売電電力とがそれぞれキロワット単位で表示される。
【００３０】
ここで、図３および図４の例では、発電電力、売電電力、消費電力等をキロワットの数値が直接的に表示されるので、ユーザにとって正確な電力がわかりやすいが、実際にどのような状況であるのかが直感的にはわかりにくいともいえる。
【００３１】
そこで、表示装置１００は、電力状況を容易に把握させることができるように、電力状況に関する情報を表示する。具体的には、表示装置１００の表示制御部１３３は、取得部１３２によって取得された電力情報に応じた振幅の波形にオブジェクトを重ね合わせて表示する。例えば、表示制御部１３３は、オブジェクトを電力情報に応じた正弦波である波形に重ね合わせて表示する。この点について図５〜図８を用いて説明する。
【００３２】
図５は、実施形態に係る表示装置１００における表示例を示す図である。表示装置１００は、図５に示すように、太陽光発電によって発電される現在の発電電力の値Ｖａと、現在の系統に対する売電電力の値Ｓｔとを表示する。また、表示装置１００は、太陽光発電によって発電される発電電力の値に応じた振幅の波形にオブジェクトＯｂを重ね合わせて表示する。一例としては、表示装置１００は、左から右方向へ移動するようにオブジェクトＯｂを表示する。
【００３３】
例えば、表示装置１００は、ｘ＊ｓｉｎ（ｔ）＋ｘの数式で表現される正弦波にオブジェクトＯｂを重ね合わせて表示する。図６は、波形の一例を示す図である。表示装置１００は、例えば、発電電力が１ｋｗの場合には、図６に示すように、ｘに１を代入したｓｉｎ（ｔ）＋１の数式で表現される正弦波Ｗ１を生成する。
【００３４】
他の例では、表示装置１００は、例えば、発電電力が２ｋｗの場合には、ｘに２を代入した２＊ｓｉｎ（ｔ）＋２の数式で表現される正弦波Ｗ２を用いる。すなわち、表示装置１００は、発電電力が多くなるほど高い波を用いる。また、表示装置１００は、発電電力が少ないほど低い波を生成する。
【００３５】
図７は、発電電力が少ない場合のオブジェクトの表示例を示す図である。表示装置１００は、図７に示すように、発電電力が少ない場合には、正弦波Ｗ１にオブジェクトＯｂ１を重ね合わせて表示する。
【００３６】
図８は、発電電力が多い場合のオブジェクトの表示例を示す図である。表示装置１００は、図８に示すように、発電電力が多い場合には、正弦波Ｗ２にオブジェクトＯｂ２を重ね合わせて表示する。これにより、表示装置１００は、波の高さによって発電電力の大きさをユーザに直感的に把握させることができる。例えば、表示装置１００は、太陽光発電によって発電された発電電力の大きさを波の高さによってユーザに直感的に把握させることができる。
【００３７】
また、表示装置１００は、例えば、発電電力が多いほど正弦波にオブジェクトの数を多く重ね合わせて表示する。すなわち、表示装置１００は、オブジェクトの数が図７の場合より図８の場合の方が多くなるように表示する。これにより、表示装置１００は、オブジェクトの数によって発電電力を認識させることができるので、発電電力の大きさをユーザに直感的に把握させることができる。
【００３８】
［表示装置の処理手順］
次に、図９を用いて、表示装置による処理の手順について説明する。図９は、実施形態に係る表示装置１００による処理手順を示すフローチャートである。
【００３９】
図９に示した例において、表示装置１００は、電力情報を表示する表示タイミングであるか否か判定する（ステップＳ１０１）。ここで、表示タイミングとは、例えば、電力情報を表示するアプリケーションがユーザの操作によって起動されたときである。例えば、表示装置１００は、電力情報を表示するアプリケーションを起動する起動操作を受け付けたか否か判定する。ここで、表示装置１００は、起動操作を受け付けていない場合には（ステップＳ１０１；Ｎｏ）、起動操作を受け付けるまで待機する。
【００４０】
一方、表示装置１００は、起動操作を受け付けた場合（ステップＳ１０１；Ｙｅｓ）、予め取得した電力情報に基づいて波形を生成する（ステップＳ１０２）。具体的には、表示装置１００は、取得部１３２によって取得され保持している電力情報を用いて波形を生成する。例えば、表示装置１００は、発電電力が多いほど高い波の波形を生成する。一方、表示装置１００は、発電電力が小さいほど低い波の波形を生成する。
【００４１】
そして、表示装置１００は、生成した波形にオブジェクトを重ねて表示する（ステップＳ１０３）。例えば、表示装置１００は、発電電力が多いほど正弦波にオブジェクトの数を多く重ね合わせて表示する。
【００４２】
［実施形態の効果］
上述してきたように、実施形態に係る表示装置１００によれば、電力情報に応じた振幅の波形にオブジェクトを重ね合わせて表示するので、波の高さによって発電電力の大きさをユーザに直感的に把握させることができる。例えば、表示装置１００は、太陽光発電によって発電された発電電力の大きさを波の高さによってユーザに直感的に把握させることができる。このため、表示装置１００は、ユーザの利便性を高めることができる。
【００４３】
［実施形態の変形例］
（１．移動するオブジェクトを表示）
上記実施形態では、取得部１３２によって取得された電力情報に応じた振幅の波形にオブジェクトを重ね合わせて表示する例を示した。ここで、表示装置１００は、時間の経過とともに正弦波で示された波に沿って移動する動的なオブジェクトを表示してもよい。
【００４４】
この点について図１０を用いて説明する。図１０は、変形例に係る表示装置における表示例を説明するための説明図である。図１０に示すように、表示装置１００は、時間の経過とともに正弦波で示された波に沿って移動する動的なオブジェクトを表示する。
【００４５】
例えば、図１０では、表示装置１００は、時間Ｔ１の時点における動的なオブジェクトの一つを矢印Ｓｉで示している。そして、表示装置１００は、時間Ｔ１の時点において矢印Ｓｉで示したオブジェクトが時間の経過とともに正弦波で示された波に沿って、時間Ｔ２の時点では矢印Ｓｉで示す位置に移動している。続いて、表示装置１００は、時間Ｔ２の時点において矢印Ｓｉで示されたオブジェクトが、時間の経過とともに正弦波で示された波に沿って移動し、Ｔ３の時点で矢印Ｓｉが示す位置までオブジェクトが移動する。
【００４６】
すなわち、表示装置１００は、画面上の左側から右側に矢印Ｓｉが流れていくように各オブジェクトが移動するように表示される。また、表示装置１００は、発電電力が多いほど時間の経過とともに移動するオブジェクトの速度を速くして表示する。一方、表示装置１００は、発電電力が少ないほど時間の経過とともに移動するオブジェクトの速度を遅くして表示する。なお、矢印Ｓｉは、オブジェクトの移動を説明するために図示しているため、必ずしも表示装置１００に表示する必要はないが、オブジェクトの高さの位置を、その時点における発電電力の値を示すようにしてもよく、発電電力の値を示すオブジェクトを矢印Ｓｉで表示してもよい。また、先の実施形態と組み合わせて発電電力の値に応じて正弦波の高さを変化させてもよい。つまり、発電電力が大きいときは正弦波の高さを高くするとともに、各オブジェクトを早く移動するように表示し、発電電力が小さい場合には正弦波の高さを低くするとともに各オブジェクトの移動を遅くするように表示してもよい。  
【００４７】
これにより、表示装置１００は、発電電力に応じてオブジェクトを移動して表示するので、ユーザに対して発電電力の大きさをより認識させやすくすることができる。
【００４８】
（２．売電状態と買電状態を示す動的なオブジェクトを表示）
上記実施形態では、取得部１３２によって取得された電力情報に応じた振幅の波形にオブジェクトを重ね合わせて表示する例を示した。ここで、表示装置１００は、オブジェクトとして、発電電力が消費電力を上回る売電状態または発電電力が消費電力を下回る買電状態を示す動的なオブジェクトを表示してもよい。
【００４９】
この点について図１１を用いて説明する。図１１は、変形例に係る表示装置における表示例を示す図である。例えば、表示装置１００は、発電電力が消費電力より少ない場合には、図１１に示すように、太陽光発電によって発電される現在の発電電力の値Ｖａ２と、現在の系統に対する買電電力の値Ｓｔ２とを表示する。
【００５０】
また、表示装置１００は、太陽光発電によって発電される発電電力の値に応じた振幅の波形にオブジェクトＯｂ２を重ね合わせて表示する。ここで、表示装置１００は、買電状態の場合には、売電状態の場合と反対の方向に移動するようにオブジェクトＯｂ２を表示する。例えば、表示装置１００は、買電状態の場合には、右から左方向へ移動するようにオブジェクトＯｂ２を表示する。一方、表示装置１００は、売電状態の場合には、左から右方向へ移動するようにオブジェクトＯｂ２を表示する。
【００５１】
これにより、表示装置１００は、売電状態の場合と買電状態の場合とで異なる方向にオブジェクトを移動して表示するので、ユーザに対して発電電力の状況をより認識させやすくすることができる。このため、表示装置１００は、ユーザの利便性を高めることができる。
【００５２】
（３．時間帯に応じて表示内容を変更）
上記実施形態では、取得部１３２によって取得された電力情報に応じた振幅の波形にオブジェクトを重ね合わせて表示する例を示した。ここで、表示装置１００は、時間帯に応じてオブジェクトを含む表示情報の内容を変更してもよい。
【００５３】
従来技術を用いた表示装置は、太陽が沈んで太陽光発電が動作していない状態にある場合には、発電電力を０ｋｗとして表示する。この場合、表示装置は、単に消費電力と買電電力を表示するに過ぎないので、太陽光発電に関する情報をユーザに伝えることができない。
【００５４】
そこで、表示装置１００は、時間帯に応じてオブジェクトを含む表示情報の内容を変更する。この点について図１２〜図１４を用いて説明する。図１２および図１３は、変形例に係る表示装置における表示例を示す図である。例えば、表示装置１００は、夜の時間帯には、所定の期間の発電電力量の合計値と、所定の期間の発電電力量の履歴を示すグラフとを表示する。一例としては、表示装置１００は、図１２に示すように、本日の発電電力量の合計値を示す発電電力量Ｖａ３と、過去５日分の発電電力量の履歴を示すグラフＲｅを表示する。
【００５５】
これにより、表示装置１００は、夜の時間帯には所定の期間の発電電力量の合計値と、所定の期間の発電電力量の履歴を示すグラフとを表示するので、ユーザにとって有用な太陽光発電に関する情報を表示することができる。
【００５６】
太陽光発電の発電量は、天気に依存するので、晴れの場合には増加し、曇や雨の場合には低下する。このため、ユーザは、本日の発電量がどの程度になるかを把握するために本日の天気に興味を抱く。そこで、表示装置１００は、図１３に示すように、朝の時間帯には、本日の天気に関する情報Ｗｅを表示する。例えば、表示装置１００は、インターネット経由で入手した本日の時間帯ごとの天気予報を表示する。一例としては、表示装置１００は、９時の天気予報Ｗｅ１と、１０時の天気予報Ｗｅ２と、１１時の天気予報Ｗｅ３とを表示する。
【００５７】
これにより、表示装置１００は、朝の時間帯には天気予報を表示するので、ユーザに本日の発電量が多くなるのか少なくなるのかを予想させることができる。このため、表示装置１００は、予想した発電量に応じて家庭内の電力消費を考慮した生活行動をユーザに行わせることができる。
【００５８】
次に、図１４を用いて、表示装置による画面切り替え処理の手順について説明する。図１４は、変形例に係る表示装置による処理手順を示すフローチャートである。
【００５９】
図１４に示した例において、表示装置１００は、現在時刻が属する時間帯を判定する（ステップＳ２０１）。例えば、表示装置１００は、１７：００〜０５：００の場合には、夜と判定する。また、表示装置１００は、０５：００〜９：００の場合には、朝と判定する。また表示装置１００は、９：００〜１７：００の場合には、昼と判定する。
【００６０】
ここで、表示装置１００は、例えば、現在時刻が属する時間帯を朝と判定した場合には、図１３に示すような天気に関する情報を表示する（ステップＳ２０２）。また、表示装置１００は、現在時刻が属する時間帯を昼と判定した場合には、例えば、図５に示すような電力状況を表示する（ステップＳ２０３）。また、表示装置１００は、現在時刻が属する時間帯を夜と判定した場合には、例えば、図１２に示すような本日の発電電力と過去の発電電力の履歴を示すグラフとを表示する（ステップＳ２０４）。
【００６１】
これにより、表示装置１００は、時間帯に応じてオブジェクトを含む表示情報の内容を変更するので、ユーザにとって時間帯に合った有用な情報を表示することができる。このため、表示装置１００は、ユーザの利便性を高めることができる。
【００６２】
（４．発電電力に応じてオブジェクトの表示態様を変更）
上記実施形態では、取得部１３２によって取得された電力情報に応じた振幅の波形にオブジェクトを重ね合わせて表示する例を示した。ここで、表示装置１００は、発電電力に応じて、オブジェクトの数量、色、速度、移動方向または角数等の形を変更して表示してもよい。
【００６３】
例えば、表示装置１００は、発電電力が多いほどオブジェクトの数量を多く表示する。一方、表示装置１００は、発電電力が少ないほどオブジェクトの数量を少なく表示する。
【００６４】
他の例では、表示装置１００は、発電電力が多いほどオブジェクトの色を濃く表示する。一方、表示装置１００は、発電電力が少ないほどオブジェクトの色を薄く表示する。
【００６５】
他の例では、表示装置１００は、発電電力が多いほどオブジェクトを早く移動するように表示する。一方、表示装置１００は、発電電力が少ないほどオブジェクトを遅く移動するように表示する。
【００６６】
他の例では、表示装置１００は、発電電力が消費電力より多い場合には、オブジェクトを左から右方向へ移動して表示する。一方、表示装置１００は、発電電力が消費電力より少ない場合には、オブジェクトを右から左方向へ移動して表示する。
【００６７】
他の例では、表示装置１００は、発電電力が多いほど多角形であるオブジェクトの角数が多くなるように表示する。一方、表示装置１００は、発電電力が少ないほど多角形であるオブジェクトの角数が少なくなるように表示する。
【００６８】
これにより、表示装置１００は、発電電力に応じてオブジェクトの表示態様を変更するので、ユーザに対して発電電力の状況をより認識させやすくすることができる。このため、表示装置１００は、ユーザの利便性をより高めることができる。
【００６９】
（５．その他）
上記実施形態では、表示装置１００は、１本の正弦波を用いてオブジェクトを表示する例を示したが、発電電力に応じて正弦波の本数を増加させてもよいし、正弦波以外の波形にオブジェクトを重ねて表示してもよい。
【００７０】
また、上記実施形態では、表示装置１００は、太陽光発電の発電電力を表示する例を示したが、家庭内の消費電力、エネファーム等の燃料電池の発電電力、蓄電池の充電電力や放電電力に適用して表示処理を行ってもよい。
【００７１】
以上説明したとおり、上記実施形態によれば電力状況を容易に把握させることができる。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１  発電システム
１０  太陽電池モジュール
２０  パワーコンディショナ
３０  分電盤
４０  計測ユニット
５０  ホームゲートウェイ
７０  ブロードバンドルーター
１２０  表示部
１００  表示装置
１３１  送信部
１３２  取得部
１３３  表示制御部
【図１】
0006299499.tif 000002
【図２】
0006299499.tif 000003
【図３】
0006299499.tif 000004
【図４】
0006299499.tif 000005
【図５】
0006299499.tif 000006
【図６】
0006299499.tif 000007
【図７】
0006299499.tif 000008
【図８】
0006299499.tif 000009
【図９】
0006299499.tif 000010
【図１０】
0006299499.tif 000011
【図１１】
0006299499.tif 000012
【図１２】
0006299499.tif 000013
【図１３】
0006299499.tif 000014
【図１４】
0006299499.tif 000015